(57)【特許請求の範囲】
【請求項１】
手ブレ補正手段を有するカメラの手ブレ警告表示装置において、
手ブレ警告を表示する手ブレ警告表示手段と、前記手ブレ補正手段が動作中か否かを示す手ブレ補正動作情報を表示する手ブレ補正動作表示手段と、を備え、
前記手ブレ警告表示手段は、前記手ブレ補正手段が動作中か否かにかかわらず前記手ブレ警告を表示し、前記手ブレ補正動作表示手段は、前記手ブレ補正動作情報を前記手ブレ警告の近傍に表示することを特徴とするカメラの手ブレ警告表示装置。
【請求項２】
手動操作によって手ブレ補正を行うか否かを指示する手ブレ補正ＯＮモード、手ブレ補正ＯＦＦモード、及び手ブレ補正を行うか否かを自動的に判断して手ブレ補正を行うか否かを指示する手ブレ補正ＡＵＴＯモードのうちのいずれかを選択する手ブレ補正モード選択手段と、前記手ブレ補正モード選択手段によって手ブレ補正ＯＮモードが選択されたとき、及び手ブレ補正ＡＵＴＯモードが選択され、かつ手ブレ補正を行うべきと自動的に判断されたときに手ブレ補正を行う手ブレ補正手段とを有するカメラの手ブレ警告表示装置において、
手ブレ警告を表示する手ブレ警告表示手段と、前記手ブレ補正手段が動作中か否かを示す手ブレ補正動作情報を表示する手ブレ補正動作表示手段と、を備え、
前記手ブレ警告表示手段は、前記手ブレ補正モード選択手段によって選択されたモードにかかわらず前記手ブレ警告を表示し、前記手ブレ補正動作表示手段は、前記手ブレ補正モード選択手段において手ブレ補正ＯＮ／ＯＦＦモードが選択されると、その選択された手ブレ補正ＯＮ／ＯＦＦモードに応じて変化する前記手ブレ補正動作情報を、手ブレ補正ＡＵＴＯモードが選択されると、前記手ブレ補正手段が動作中か否かに応じて変化する前記手ブレ補正動作情報を、前記手ブレ警告の近傍に表示することを特徴とするカメラの手ブレ警告表示装置。
【請求項３】
手動操作によって手ブレ補正を行うか否かを指示する手ブレ補正ＯＮモード、手ブレ補正ＯＦＦモード、及び手ブレ補正を行うか否かを自動的に判断して手ブレ補正を行うか否かを指示する手ブレ補正ＡＵＴＯモードのうちのいずれかを選択する手ブレ補正モード選択手段と、前記手ブレ補正モード選択手段によって手ブレ補正ＯＮモードが選択されたとき、及び手ブレ補正ＡＵＴＯモードが選択され、かつ手ブレ補正を行うべきと自動的に判断されたときに手ブレ補正を行う手ブレ補正手段とを有するカメラの手ブレ警告表示装置において、
手ブレ警告を表示する手ブレ警告表示手段と、前記手ブレ補正モード選択手段によって選択された手ブレ補正モードを示す情報を表示する手ブレ補正モード表示手段と、を備え、
前記手ブレ警告表示手段は、前記手ブレ補正モード選択手段によって選択された手ブレ補正モードにかかわらず前記手ブレ警告を表示し、前記手ブレ補正モード表示手段は、前記手ブレ補正モードを示す情報を、前記手ブレ警告の近傍に表示することを特徴とするカメラの手ブレ警告表示装置。
【請求項４】
前記手ブレ警告表示手段は、シャッター速度が手ブレ限界シャッター速度よりも遅いと判別すると、手ブレ警告を表示することを特徴とする請求項１乃至３のいずれかに記載のカメラの手ブレ警告表示装置。
【請求項５】
前記カメラは少なくとも現在撮影レンズを通して連続的に撮像されているスルー画像を表示する画像表示手段を備え、前記手ブレ警告表示手段及び手ブレ補正動作表示手段は、それぞれ前記画像表示手段に表示されたスルー画像上に、前記手ブレ警告及び手ブレ補正動作情報を合成して表示することを特徴とする請求項１又は２に記載のカメラの手ブレ警告表示装置。
【請求項６】
前記カメラは少なくとも現在撮影レンズを通して連続的に撮像されているスルー画像を表示する画像表示手段を備え、前記手ブレ警告表示手段及び手ブレ補正モード表示手段は、それぞれ前記画像表示手段に表示されたスルー画像上に、前記手ブレ警告及び手ブレ補正モードを示す情報を合成して表示することを特徴とする請求項３に記載のカメラの手ブレ警告表示装置。
【請求項７】
前記手ブレ警告表示手段は、前記手ブレ警告をアイコンで表示し、前記手ブレ補正動作表示手段は、前記手ブレ補正動作情報を文字で表示することを特徴とする請求項１、２、又は５に記載のカメラの手ブレ警告表示装置。
【請求項８】
前記手ブレ警告表示手段は、前記手ブレ警告をアイコンで表示し、前記手ブレ補正モード表示手段は、前記手ブレ補正モードを示す情報を文字で表示することを特徴とする請求項３又は６に記載のカメラの手ブレ警告表示装置。
【発明の詳細な説明】
【技術分野】
【０００１】
本発明はカメラの手ブレ警告表示装置に係り、特に手ブレ補正手段を有するカメラの手ブレ警告表示装置に関する。
【背景技術】
【０００２】
従来、手ブレ補正手段を有するカメラでは、手ブレ補正が動作時（ＯＮ時）に手ブレ警告をすると、実際は手ブレの危険が小さいにもかかわらず、不必要な警告が表示され、煩わしいという問題があった。
【０００３】
そこで、特許文献１に記載の発明は、手ブレ補正のＯＮ／ＯＦＦによって、手ブレ警告を表示する手ブレ限界シャッタースピードを切り替え、手ブレ補正によって手ブレの危険が小さくなる場合には、手ブレ警告を表示しないようにすることで、上記問題を解決するようにしている。
【特許文献１】特許第２６９２０５３号明細書
【発明の開示】
【発明が解決しようとする課題】
【０００４】
しかし、特許文献１に記載の発明は、手振れ補正をＯＮとしたために手振れ警告が表示されていないのか、もともと手振れの発生しない撮影条件なのかが分からないので現在の撮影条件で手ブレ補正をＯＦＦにすると、手ブレが発生するかどうかが分からないという欠点がある。
【０００５】
本発明はこのような事情に鑑みてなされたもので、手ブレ補正の状況が分かりやすく、かつ手ブレ補正をＯＦＦにしたときの手ブレの発生の有無も一目で分かるカメラの手ブレ警告表示装置を提供することを目的とする。
【課題を解決するための手段】
【０００６】
前記目的を達成するために請求項１に係る発明は、手ブレ補正手段を有するカメラの手ブレ警告表示装置において、手ブレ警告を表示する手ブレ警告表示手段と、前記手ブレ補正手段が動作中か否かを示す手ブレ補正動作情報を表示する手ブレ補正動作表示手段と、を備え、前記手ブレ警告表示手段は、前記手ブレ補正手段が動作中か否かにかかわらず前記手ブレ警告を表示し、前記手ブレ補正動作表示手段は、前記手ブレ補正動作情報を前記手ブレ警告の近傍に表示することを特徴としている。
【０００７】
即ち、手ブレ補正手段が動作中か否か（ＯＮ／ＯＦＦ）にかかわらず、手ブレ警告の表示内容は変えず、一方、手ブレ補正手段が動作中か否かを示す手ブレ補正動作情報を、手ブレ警告の近傍に表示するようにしている。このように、手ブレ警告は、手ブレ補正のＯＮ／ＯＦＦによって、手ブレ警告表示の表示基準を変えずに、一定の条件（手ブレ限界シャッタースピード）にしたがって表示するため、手ブレ補正をＯＦＦにしたときの手ブレ発生の危険度が一目で分かり混乱がない。また、手ブレ補正手段が動作中であるか否かを示す手ブレ補正動作情報（手ブレ補正ＯＮ／ＯＦＦ）を、手ブレ警告の近傍に表示するようにしたため、手ブレ補正の状況も分かりやすい。尚、手ブレ補正動作情報は、手ブレ補正ＯＮのみを表示する場合、及び手ブレ補正ＯＮ／ＯＦＦを表示する場合の両者を含む。
【０００８】
請求項２に係る発明は、手動操作によって手ブレ補正を行うか否かを指示する手ブレ補正ＯＮモード、手ブレ補正ＯＦＦモード、及び手ブレ補正を行うか否かを自動的に判断して手ブレ補正を行うか否かを指示する手ブレ補正ＡＵＴＯモードのうちのいずれかを選択する手ブレ補正モード選択手段と、前記手ブレ補正モード選択手段によって手ブレ補正ＯＮモードが選択されたとき、及び手ブレ補正ＡＵＴＯモードが選択され、かつ手ブレ補正を行うべきと自動的に判断されたときに手ブレ補正を行う手ブレ補正手段とを有するカメラの手ブレ警告表示装置において、手ブレ警告を表示する手ブレ警告表示手段と、前記手ブレ補正手段が動作中か否かを示す手ブレ補正動作情報を表示する手ブレ補正動作表示手段と、を備え、前記手ブレ警告表示手段は、前記手ブレ補正モード選択手段によって選択されたモードにかかわらず前記手ブレ警告を表示し、前記手ブレ補正動作表示手段は、前記手ブレ補正モード選択手段において手ブレ補正ＯＮ／ＯＦＦモードが選択されると、その選択された手ブレ補正ＯＮ／ＯＦＦモードに応じて変化する前記手ブレ補正動作情報を、手ブレ補正ＡＵＴＯモードが選択されると、前記手ブレ補正手段が動作中か否かに応じて変化する前記手ブレ補正動作情報を、前記手ブレ警告の近傍に表示することを特徴としている。
【０００９】
請求項２に係る発明によれば、請求項１に係る発明に対して更に手ブレ補正ＡＵＴＯモード時に、手ブレ補正手段が実際に手ブレ補正動作中か否かを一目で判断することができる。
【００１０】
請求項３に係る発明は、手動操作によって手ブレ補正を行うか否かを指示する手ブレ補正ＯＮモード、手ブレ補正ＯＦＦモード、及び手ブレ補正を行うか否かを自動的に判断して手ブレ補正を行うか否かを指示する手ブレ補正ＡＵＴＯモードのうちのいずれかを選択する手ブレ補正モード選択手段と、前記手ブレ補正モード選択手段によって手ブレ補正ＯＮモードが選択されたとき、及び手ブレ補正ＡＵＴＯモードが選択され、かつ手ブレ補正を行うべきと自動的に判断されたときに手ブレ補正を行う手ブレ補正手段とを有するカメラの手ブレ警告表示装置において、手ブレ警告を表示する手ブレ警告表示手段と、前記手ブレ補正モード選択手段によって選択された手ブレ補正モードを示す情報を表示する手ブレ補正モード表示手段と、を備え、前記手ブレ警告表示手段は、前記手ブレ補正モード選択手段によって選択された手ブレ補正モードにかかわらず前記手ブレ警告を表示し、前記手ブレ補正モード表示手段は、前記手ブレ補正モードを示す情報を、前記手ブレ警告の近傍に表示することを特徴としている。
【００１１】
即ち、手ブレ補正手段が動作中か否かにかかわらず、手ブレ警告の表示内容は変えず、一方、手ブレ補正モード（手ブレ補正ＯＮ／ＯＦＦ／ＡＵＴＯモード）を示す情報を、手ブレ警告の近傍に表示するようにしている。このように、手ブレ警告は、手ブレ補正のＯＮ／ＯＦＦによって、手ブレ警告表示の表示基準を変えずに、一定の条件（手ブレ限界シャッタースピード）にしたがって表示するため、手ブレ補正をＯＦＦにしたときの手ブレ発生の危険度が一目で分かり混乱がない。また、手ブレ補正モードを示す情報を、手ブレ警告の近傍に表示するようにしたため、現在の手ブレ補正モードも分かりやすい。尚、手ブレ補正モードを示す情報は、手ブレ補正ＯＮ／ＡＵＴＯを表示する場合と、手ブレ補正ＯＮ／ＯＦＦ／ＡＵＴＯを表示する場合の両者を含む。また、手ブレ補正ＯＮモードを示す情報は、前記手ブレ補正手段が動作中か否かに応じて変化する手ブレ補正動作情報と実質的に同一の表示となる。
【００１２】
請求項４に示すように請求項１乃至３のいずれかに記載のカメラの手ブレ警告表示装置において、前記手ブレ警告表示手段は、シャッタースピードが手ブレ限界シャッタースピードよりも遅いと判別すると、手ブレ警告を表示することを特徴としている。一般に、手ブレ限界シャッタースピードは、焦点距離（３５ｍｍフィルム換算値）分の１［秒］である。
【００１３】
請求項５に示すように請求項１又は２に記載のカメラの手ブレ警告表示装置において、前記カメラは少なくとも現在撮影レンズを通して連続的に撮像されているスルー画像を表示する画像表示手段を備え、前記手ブレ警告表示手段及び手ブレ補正動作表示手段は、それぞれ前記画像表示手段に表示されたスルー画像上に、前記手ブレ警告及び手ブレ補正動作情報を合成して表示することを特徴としている。
【００１４】
請求項６に示すように請求項３に記載のカメラの手ブレ警告表示装置において、前記カメラは少なくとも現在撮影レンズを通して連続的に撮像されているスルー画像を表示する画像表示手段を備え、前記手ブレ警告表示手段及び手ブレ補正モード表示手段は、それぞれ前記画像表示手段に表示されたスルー画像上に、前記手ブレ警告及び手ブレ補正モードを示す情報を合成して表示することを特徴としている。
請求項７に示すように請求項１、２又は５に記載のカメラの手ブレ警告表示装置において、前記手ブレ警告表示手段は、前記手ブレ警告をアイコンで表示し、前記手ブレ補正動作表示手段は、前記手ブレ補正動作情報を文字で表示することを特徴としている。
請求項８に示すように請求項３又は６に記載のカメラの手ブレ警告表示装置において、前記手ブレ警告表示手段は、前記手ブレ警告をアイコンで表示し、前記手ブレ補正モード表示手段は、前記手ブレ補正モードを示す情報を文字で表示することを特徴としている。
【発明の効果】
【００１５】
本発明によれば、手ブレ警告の表示内容は変えず、手ブレ補正手段が動作中か否かを示す手ブレ補正動作情報（手ブレ補正ＯＮ／ＯＦＦや手ブレ補正ＯＮ／ＯＦＦ／ＡＵＴＯ）を、手ブレ警告の近傍に表示するようにしたため、手ブレ補正の状況が分かりやすく、かつ手ブレ補正をＯＦＦにしたときの手ブレの発生の有無も一目で分かるという効果がある。
【発明を実施するための最良の形態】
【００１６】
以下、添付図面に従って本発明に係るカメラの手ブレ警告表示装置の好ましい実施の形態について説明する。
【００１７】
［カメラの全体構成］
図１は本発明に係る手ブレ警告表示装置が適用されたカメラのブロック図である。
【００１８】
同図に示すように、このカメラは、撮像した画像を記録メディア（メモリカード）１０に記録する、手ブレ補正装置を有するデジタルカメラであり、カメラ全体の動作は、中央処理装置（ＣＰＵ）１２によって統括制御されている。
【００１９】
カメラのキー入力部１４は、電源スイッチ、シャッターボタン、マニュアル撮影、オート撮影、連写、ムービー、風景モード、人物モード、夜景モード等の各シーンを選択するためのシーンポジションを選択するためのモードダイヤル、撮影モードから再生モードに切り替える再生ボタン、ズームキー、コマ送り等の各種の指令信号を出力するマルチファンクションの十字キー、メニュー／実行キー等を含む。
【００２０】
また、手ブレ補正ＯＮ／ＯＦＦ／ＡＵＴＯスイッチ１６は、手ブレ補正ＯＮモード、手ブレ補正ＯＦＦモード、及び手ブレ補正ＡＵＴＯモードのうちのいずれかを選択するためのスイッチである。
【００２１】
上記キー入力部１４及び手ブレ補正ＯＮ／ＯＦＦ／ＡＵＴＯスイッチ１６からの各種の操作信号は、ＣＰＵ１２に加えられるようになっている。
【００２２】
また、ＣＰＵ１２は、ＳＤＲＡＭ（シンクロナス・ダイナミックＲＡＭ）１８、ＲＯＭ２０、ＥＥＰＲＯＭ２２との間で必要なデータの授受を行う。
【００２３】
このＲＯＭ２０には、カメラ制御プログラム等が記録され、ＥＥＰＲＯＭ２２には、固体撮像素子の欠陥情報等のカメラ制御に関する各種のパラメータが格納されている。
【００２４】
まず、キー入力部１４にて電源ボタンが操作されると、ＣＰＵ１２はこれを検出し、カメラ内電源をＯＮにし、撮影モードで撮影スタンバイ状態にする。この撮影スタンバイ状態では、ＣＰＵ１２は、被写体を撮像して液晶モニタ３８に動画（スルー画像）を表示させる。
【００２５】
即ち、光学ユニット２４及び固体撮像素子（ＣＣＤ）２６を介して被写体を連続的に撮像し、得られた画像信号を連続的に処理してＹＣ信号を生成する。生成されたＹＣ信号は、混合回路３２によってキャラクタ・ジェネレータ３４から出力される現在の撮影画像に関連するオンスクリーンディスプレイ情報（ＯＳＤ情報）と混合され、エンコーダ３６によって表示用の信号形式に変換されて液晶モニタ３８に出力される。これにより、液晶モニタ３８にはスルー画像とともにＯＳＤ情報が表示される。尚、キャラクタ・ジェネレータ３４は、ＣＰＵ１２からの指示にしたがって各種のＯＳＤ情報を生成し、これを混合回路３２に出力するが、この実施の形態では、後述するように手ブレ警告マーク（アイコン）や、手ブレ補正手段による「補正ＯＮ」、「補正ＡＵＴＯ」等の文字情報を表示させる。
【００２６】
撮影者は、液晶モニタ３８に表示されるスルー画像を見ながらフレーミングしたり、撮影したい被写体を確認したり、撮影後の画像を確認したり、撮影条件を設定したりする。
【００２７】
上記撮影スタンバイ状態時にシャッターボタンが半押しされると、ＣＰＵ１２はこれを検知し、フォーカス制御、測光を行い、レンズ駆動部４０を介して光学ユニット２４内のフォーカスレンズや絞りを駆動させ、光学ユニット２４を介してＣＣＤ２６の受光面上に被写体像を結像させる。
【００２８】
その後、シャッターボタンが全押しされると、前記測光された測光結果に基づいて露出制御（絞り及びシャッタースピードを制御）して記録用の画像として撮像を行い、ＣＣＤ２６は、受光面に結像された被写体像をその光量に応じた量の信号電荷に変換する。このようにして変換された信号電荷は、クロック発生回路４２から加えられるリードゲートパルスによってシフトレジスタに読み出され、レジスタ転送パルスによって信号電荷に応じた電圧信号として順次読み出される。
【００２９】
ＣＣＤ２６から出力された電圧信号は、アナログ処理回路２８によって相関二重サンプリングや増幅等のアナログ処理が施された後、各画素ごとのＲ、Ｇ、Ｂ信号としてＡ／Ｄ変換器３０に加えられる。Ａ／Ｄ変換器３０は、アナログ処理回路２８から順次加えられるアナログのＲ、Ｇ、Ｂ信号をそれぞれデジタルのＲ、Ｇ、Ｂ信号に変換する。これらのＲ、Ｇ、Ｂ信号は、一旦ＳＤＲＡＭ１８に格納される。
【００３０】
画像信号処理回路４４は、上記ＳＤＲＡＭ１８に格納されたＲ、Ｇ、Ｂの生データを読み出し、これらに光源種に応じたデジタルゲインをかけることでホワイトバランス調整を行うとともに、ガンマ（階調特性）処理及びシャープネス処理を行ってＲ、Ｇ、Ｂ信号を生成し、更にＹＣ信号処理して輝度信号Ｙとクロマ信号Ｃｒ、Ｃｂ（ＹＣ信号）を生成し、そのＹＣ信号を再びＳＤＲＡＭ１８に格納する。
【００３１】
上記のようにしてＳＤＲＡＭ１８に格納されたＹＣ信号は、圧縮・伸張回路４６によって所定のフォーマットに圧縮されたのち、インターフェース回路４８を介してデジタルカメラに着脱自在なメモリカード１０に記録される。
【００３２】
一方、キー入力部１４の再生ボタンを操作して再生モードが選択されると、メモリカード１０に記録されている最終コマの画像ファイルがインターフェース回路４８を介して読み出される。この読み出された画像ファイルの圧縮データは、圧縮・伸張回路４６を介して非圧縮のＹＣ信号に伸張される。
【００３３】
伸張されたＹＣ信号は、混合回路３２を介してエンコーダ３６に加えられ、ここで表示用の信号形式に変換されて液晶モニタ３８に出力される。これにより、液晶モニタ３８にはメモリカード１０に記録されている最終コマの画像が表示される。
【００３４】
その後、キー入力部１４の順コマ送りスイッチ（十字キーの右キー）が押されると、順方向にコマ送りされ、逆コマ送りスイッチ（十字キーの左キー）が押されると、逆方向にコマ送りされる。そして、コマ送りされたコマ位置の画像ファイルがメモリカード１０から読み出され、上記と同様にして画像が液晶モニタ３８に再生される。
【００３５】
［手ブレ補正装置］
次に、このデジタルカメラの手ブレ補正装置について説明する。
【００３６】
このデジタルカメラの手ブレ補正装置は、主としてＣＰＵ１２と、手ブレ補正ＯＮ／ＯＦＦ／ＡＵＴＯスイッチ１６と、手ブレ検出センサ５０と、手ブレ補正制御回路５２と、手ブレ補正駆動部５４とから構成されている。
【００３７】
ＣＰＵ１２には、手ブレ補正ＯＮ／ＯＦＦ／ＡＵＴＯスイッチ１６での手ブレ補正モードの選択に応じて手ブレ補正ＯＮモード、手ブレ補正ＯＦＦモード、及び手ブレ補正ＡＵＴＯモードのうちのいずれかを示す情報が加えられるようになっており、ＣＰＵ１２は、手ブレ補正ＯＮモード時には手ブレ補正制御回路５２を動作可能にし、手ブレ補正ＯＦＦモード時には手ブレ補正制御回路５２を動作不能にする。また、手ブレ補正ＡＵＴＯモード時には、手ブレ補正を行うか否かを自動的に判断し、その判断結果に応じて手ブレ補正制御回路５２を動作可能又は動作不能にする。
【００３８】
ここで、手ブレ補正ＡＵＴＯモード時に手ブレ補正を行うか否かの判断は、手ブレ検出センサ５０からの角速度データの大きさが一定値よりも大きいか否かによって判断する場合と、シャッターボタンの半押し時に測光した被写体の明るさに基づいて決定したシャッタースピードと、光学ユニット２４の現在の焦点距離とに基づいて、前記決定したシャッタースピードが手ブレ限界シャッタースピードよりも遅いか否かによって判断する場合とが考えられる。
【００３９】
尚、手ブレ限界シャッタースピードとしては、焦点距離（３５ｍｍフィルム換算値）分の１［秒］とし、例えば、現在の焦点距離が３５ｍｍフィルム換算で６０ｍｍの場合には、１／６０秒を手ブレ限界シャッタースピードとする。
【００４０】
手ブレ検出センサ５０は、例えばカメラの上下及び左右方向の角速度を検出する角速度センサから構成されており、この手ブレ検出センサ５０によって検出された角速度データは、手ブレ補正時にＣＰＵ１２より手ブレ補正制御回路５２に送られる。
【００４１】
手ブレ補正制御回路５２は、入力する角速度データに対応する駆動信号を生成し、これを手ブレ補正駆動部５４に出力する。手ブレ補正駆動部５４は、光学ユニット２４内の手ブレ補正用のレンズを上下又は左右方向に駆動するボイスコイル等を含み、手ブレ補正制御回路５２から入力する駆動信号に基づいて、カメラの上下又は左右方向の角速度（手ブレ）を相殺するように手ブレ補正用のレンズを上下又は左右に駆動する。
【００４２】
尚、この種の手ブレ補正装置は公知であり、本発明はこの実施の形態に限定されず、種々のものが適用できる。
【００４３】
［手ブレ警告表示装置］
次に、本発明に係るカメラの手ブレ警告表示装置について説明する。
【００４４】
このデジタルカメラの手ブレ警告表示装置は、主としてＣＰＵ１２と、混合回路３２と、キャラクタ・ジェネレータ３４と、液晶モニタ３８とから構成されている。
【００４５】
＜第１の実施の形態＞
図２は本発明に係るカメラの手ブレ警告表示装置の第１の実施の形態を示すフローチャートである。
【００４６】
同図に示すようにＣＰＵ１２は、シャッターボタンの半押し時に測光した被写体の明るさに基づいて決定したシャッタースピードが所定値（手ブレ限界シャッタースピード）以下か否かを判別する（ステップＳ１０）。
【００４７】
そして、シャッタースピードが所定値よりも速い「ＮＯ」と判別されると、続いて、手ブレ補正ＯＮ／ＯＦＦ／ＡＵＴＯスイッチ１６によって選択されている手ブレ補正モードが、手ブレ補正ＯＮ／ＯＦＦ／ＡＵＴＯのうちのいずれであるかを判別する（ステップＳ１２）。
【００４８】
手ブレ補正モードとして手ブレ補正ＯＦＦモードが選択されている場合には、ＣＰＵ１２は、図３（Ａ）に示すように液晶モニタ３８にスルー画像のみを表示させ、手ブレ警告や手ブレ補正状態を示す情報の表示を行わせない（ステップＳ１４）。
【００４９】
手ブレ補正モードとして手ブレ補正ＯＮモードが選択されている場合には、ＣＰＵ１２は、図３（Ｂ）に示すように液晶モニタ３８のスルー画像上に「補正ＯＮ」を示す文字６０を合成表示させる（ステップＳ１６）。即ち、ＣＰＵ１２は、キャラクタ・ジェネレータ３４から「補正ＯＮ」を示す文字データを混合回路３２に出力させ、ここで、スルー画像データに文字データを混合させる。
【００５０】
また、手ブレ補正モードとして手ブレ補正ＡＵＴＯモードが選択されている場合には、ＣＰＵ１２は、手ブレ補正装置が動作中であるか否かを判別する（ステップＳ１８）。尚、ＣＰＵ１２は、手ブレ検出センサ５０からの角速度データの大きさに基づいて手ブレ補正を行うか否かを判断しているため、その判断結果を利用することができる。
【００５１】
そして、ＣＰＵ１２は、手ブレ補正装置が動作していないと判別すると、図３（Ａ）に示すようにスルー画像のみを表示させ、手ブレ警告や手ブレ補正状態を示す情報の表示を行わせず（ステップＳ２０）、手ブレ補正装置が動作中と判別すると、図３（Ｂ）に示すようにスルー画像上に「補正ＯＮ」を示す文字６０を合成表示させる（ステップＳ２２）。
【００５２】
一方、ステップＳ１０において、シャッタースピードが所定値よりも遅い「ＹＥＳ」と判別されると、続いて、手ブレ補正ＯＮ／ＯＦＦ／ＡＵＴＯスイッチ１６によって選択されている手ブレ補正モードが、手ブレ補正ＯＮ／ＯＦＦ／ＡＵＴＯのうちのいずれであるかを判別する（ステップＳ２４）。
【００５３】
手ブレ補正モードとして手ブレ補正ＯＦＦモードが選択されている場合には、ＣＰＵ１２は、図３（Ｃ）に示すように液晶モニタ３８のスルー画像上に「手ブレ警告」を示すアイコン６２を合成表示させる（ステップＳ２６）。即ち、ＣＰＵ１２は、キャラクタ・ジェネレータ３４から「手ブレ警告」を示すアイコンデータを混合回路３２に出力させ、ここで、スルー画像データにアイコンデータを混合させる。
【００５４】
手ブレ補正モードとして手ブレ補正ＯＮモードが選択されている場合には、ＣＰＵ１２は、図３（Ｄ）に示すように液晶モニタ３８のスルー画像上に「手ブレ警告」を示すアイコン６２と「補正ＯＮ」を示す文字６０とを並べて合成表示させる（ステップＳ２８）。即ち、ＣＰＵ１２は、キャラクタ・ジェネレータ３４から「手ブレ警告」を示すアイコンデータと、「補正ＯＮ」を示す文字データとを混合回路３２に出力させ、ここで、スルー画像データにアイコンデータと文字データとを混合させる。
【００５５】
図３（Ｄ）に示すように手ブレ補正装置が動作中であること（「補正ＯＮ」）を表示し、手ブレ補正装置によって手ブレが補正されていても、手ブレ警告の表示内容は変えないようにしている。これにより、手ブレ補正の状況が分かりやすく、かつ手ブレ補正をＯＦＦにしたときの手ブレの発生の有無も一目で分かる。
【００５６】
また、手ブレ補正モードとして手ブレ補正ＡＵＴＯモードが選択されている場合には、ＣＰＵ１２は、手ブレ補正装置が動作中であるか否かを判別する（ステップＳ３０）。そして、ＣＰＵ１２は、手ブレ補正装置が動作していないと判別すると、図３（Ｃ）に示すようにスルー画像上に「手ブレ警告」を示すアイコン６２を合成表示させ（ステップＳ３２）、一方、手ブレ補正装置が動作中と判別すると、図３（Ｄ）に示すようにスルー画像上に「手ブレ警告」を示すアイコン６２と「補正ＯＮ」を示す文字６０とを並べて合成表示させる（ステップＳ３４）。
【００５７】
＜第２の実施の形態＞
図４は本発明に係るカメラの手ブレ警告表示装置の第２の実施の形態を示すフローチャートである。第２の実施の形態は、手ブレ補正ＯＮモード又はＯＦＦモードが選択できるようになっており、ＡＵＴＯモードが設けられていない点で第１の実施の形態と異なる。
【００５８】
図４に示すようにＣＰＵ１２は、シャッターボタンの半押し時に測光した被写体の明るさに基づいて決定したシャッタースピードが所定値（手ブレ限界シャッタースピード）以下か否かを判別する（ステップＳ４０）。
【００５９】
そして、シャッタースピードが所定値よりも速い「ＮＯ」と判別されると、続いて、手ブレ補正ＯＮ／ＯＦＦスイッチ（図示せず）によって選択されている手ブレ補正モードが、手ブレ補正ＯＮ／ＯＦＦのうちのいずれであるかを判別する（ステップＳ４２）。
【００６０】
手ブレ補正モードとして手ブレ補正ＯＦＦモードが選択されている場合には、ＣＰＵ１２は、図５（Ａ）に示すように液晶モニタ３８にスルー画像のみを表示させ、手ブレ警告や手ブレ補正状態を示す情報の表示を行わせない（ステップＳ４４）。
【００６１】
手ブレ補正モードとして手ブレ補正ＯＮモードが選択されている場合には、ＣＰＵ１２は、図５（Ｂ）に示すように液晶モニタ３８のスルー画像上に「補正ＯＮ」を示す文字６０を合成表示させる（ステップＳ４６）。
【００６２】
一方、ステップＳ４０において、シャッタースピードが所定値よりも遅い「ＹＥＳ」と判別されると、続いて、手ブレ補正ＯＮ／ＯＦＦスイッチによって選択されている手ブレ補正モードが、手ブレ補正手ＯＮ／ＯＦＦのうちのいずれであるかを判別する（ステップＳ４８）。
【００６３】
手ブレ補正モードとして手ブレ補正ＯＦＦモードが選択されている場合には、ＣＰＵ１２は、図５（Ｃ）に示すように液晶モニタ３８のスルー画像上に「手ブレ警告」を示すアイコン６２を合成表示させる（ステップＳ５０）。
【００６４】
手ブレ補正モードとして手ブレ補正ＯＮモードが選択されている場合には、ＣＰＵ１２は、図５（Ｄ）に示すように液晶モニタ３８のスルー画像上に「手ブレ警告」を示すアイコン６２と「補正ＯＮ」を示す文字６０とを並べて合成表示させる（ステップＳ５２）。
【００６５】
＜第３の実施の形態＞
図６は本発明に係るカメラの手ブレ警告表示装置の第３の実施の形態を示すフローチャートである。第３の実施の形態は、第１の実施の形態と比較して手ブレ補正ＡＵＴＯモード時における警告表示が異なる。尚、図６上で、第２の実施の形態と共通するステップには同一のステップ番号を付し、その詳細な説明は省略する。また、図７上で、図７（Ａ）〜図７（Ｄ）は、図５（Ａ）〜（Ｄ）と同じため、その説明は省略する。
【００６６】
図６に示すステップＳ６０において、手ブレ補正ＯＮ／ＯＦＦ／ＡＵＴＯスイッチ１６によって選択されている手ブレ補正モードが、手ブレ補正ＡＵＴＯモードであると判別されると、ＣＰＵ１２は、図７（Ｅ）に示すように液晶モニタ３８のスルー画像上に「補正ＡＵＴＯ」を示す文字６４を合成表示させる（ステップＳ６２）。即ち、ＣＰＵ１２は、キャラクタ・ジェネレータ３４から「補正ＡＵＴＯ」を示す文字データを混合回路３２に出力させ、ここで、スルー画像データに文字データを混合させる。
【００６７】
ユーザーは、この液晶モニタ３８上の表示により手ブレ補正ＡＵＴＯモードが選択されていることが分かり、手ブレが生じている場合には手ブレ補正装置が動作し、手ブレが生じていない場合には手ブレ補正装置が動作しないことが認識できる。
【００６８】
一方、ステップＳ６４において、手ブレ補正ＯＮ／ＯＦＦ／ＡＵＴＯスイッチ１６によって選択されている手ブレ補正モードが、手ブレ補正ＡＵＴＯモードであると判別されると、ＣＰＵ１２は、図７（Ｆ）に示すように液晶モニタ３８のスルー画像上に「手ブレ警告」を示すアイコン６２と「補正ＡＵＴＯ」を示す文字６４とを並べて合成表示させる（ステップＳ６６）。
【００６９】
図８は手ブレ警告及び手ブレ補正動作情報の他の表示例を示す図である。
【００７０】
図３（Ｄ）に示す表示例では、「手ブレ警告」を示すアイコン６２と、「補正ＯＮ」を示す文字６０とを並べて表示するようにしたが、図８（Ｂ）に示すように両者の表示を重ねて表示するようにしてもよい。
【００７１】
尚、手ブレ警告の表示と、手ブレ補正動作情報の表示との位置関係は、この実施の形態に限らず、例えば、上下に並べて表示するようにしてもよく、要は両者の情報を同時に視認できる一定の範囲内に表示されていればよい。
【００７２】
また、この実施の形態では、手ブレ警告をアイコンで表示し、手ブレ補正動作情報を文字で表示するようにしたが、本発明はこれに限定されない。
【００７３】
更に、本発明はデジタルカメラに限らず、銀塩フイルムを使用するカメラにも適用できる。この場合、手ブレ警告や手ブレ補正動作情報は、文字液晶等の表示器に表示する。
【図面の簡単な説明】
【００７４】
【図１】図１は本発明に係る手ブレ警告表示装置が適用されたカメラのブロック図である。
【図２】図２は本発明に係るカメラの手ブレ警告表示装置の第１の実施の形態を示すフローチャートである。
【図３】図３は本発明の第１の実施の形態における手ブレ警告及び手ブレ補正動作情報の表示例を示す図である。
【図４】図４は本発明に係るカメラの手ブレ警告表示装置の第２の実施の形態を示すフローチャートである。
【図５】図５は本発明の第２の実施の形態における手ブレ警告及び手ブレ補正動作情報の表示例を示す図である。
【図６】図６は本発明に係るカメラの手ブレ警告表示装置の第３の実施の形態を示すフローチャートである。
【図７】図７は本発明の第３の実施の形態における手ブレ警告及び手ブレ補正動作情報の表示例を示す図である。
【図８】図８は手ブレ警告及び手ブレ補正動作情報の他の表示例を示す図である。
【符号の説明】
【００７５】
１０…記録メディア（メモリカード）、１２…中央処理装置（ＣＰＵ）、１６…手ブレ補正ＯＮ／ＯＦＦ／ＡＵＴＯスイッチ、２４…光学ユニット、２６…固体撮像素子（ＣＣＤ）、３２…混合回路、３４…キャラクタ・ジェネレータ、３８…液晶モニタ、４０…レンズ駆動部、５０…手ブレ検出センサ、５２…手ブレ補正制御回路、５４…手ブレ補正駆動部、６０、６４…文字、６２…アイコン
【図１】
0004769116.tif 000002
【図２】
0004769116.tif 000003
【図３】
0004769116.tif 000004
【図４】
0004769116.tif 000005
【図５】
0004769116.tif 000006
【図６】
0004769116.tif 000007
【図７】
0004769116.tif 000008
【図８】
0004769116.tif 000009